(57)【要約】【課題】装置の使用中にディスク状の情報記録媒体が不用意に飛び出すことを防止することが可能なディスク装置を提供する。【解決手段】ディスク装置１００は、情報記録面を有するディスクメディア３１を装着して情報を記録及び／又は再生可能なディスク駆動部１１を有する装置本体１と、情報を表示するディスプレイ２Ｂを有し、装置本体１に対して、ディスプレイ２Ｂを伏せた閉状態と、ディスプレイ２Ｂを伏せない開状態とを取り得る蓋体２とを備え、装置本体１は、装置本体１の底方向に可動に構成され、ディスク駆動部１１に対してディスクメディア３１を挿入及び排出させる駆動部カバー３と、ディスクメディア３１が装置本体１に装着された状態をロックするロック爪４Ａ及びカバー爪３Ａとをさらに備え、蓋体２が装置本体１に対して開状態にあるとき、ロック爪４Ａ及びカバー爪３Ａのロック状態が維持される。【選択図】図１
2008305534.tif 000002
【特許請求の範囲】
【請求項１】
情報記録面を有するディスク状の情報記録媒体を装着して情報を記録及び／又は再生可能なディスクドライブを有する本体ユニットと、
情報を表示する表示面を有し、前記本体ユニットに対して、前記表示面を伏せた閉状態と、前記表示面を伏せない開状態とを取り得る表示ユニットとを備え、
前記本体ユニットは、
前記本体ユニットの底方向に可動に構成され、前記ディスクドライブに対して前記情報記録媒体を挿入及び排出させるディスク挿入排出機構と、
前記情報記録媒体が前記本体ユニットに装着された状態をロックするためのロック機構とをさらに備え、
前記表示ユニットが前記本体ユニットに対して前記開状態にあるとき、前記ロック機構のロック状態が維持されることを特徴とするディスク装置。
【請求項２】
前記表示ユニットが前記本体ユニットに対して前記閉状態にあるときにのみ、前記ロック機構のロック状態が解除されることを特徴とする請求項１記載のディスク装置。
【請求項３】
前記表示ユニットは、前記本体ユニットに回動可能に保持され、
前記ディスク挿入排出機構は、前記本体ユニットの前記表示ユニットが配置される面と反対側の底面側に配置され、前記本体ユニットの底方向に回動可能に保持されることを特徴とする請求項１又は２記載のディスク装置。
【請求項４】
前記ロック機構は、
前記本体ユニットにスライド可能に保持されたスライダに設けられた係合部と、
前記ディスク挿入排出機構に設けられ、前記係合部が係合する被係合部と、
前記スライダのスライド方向に平行で且つ前記係合部と前記被係合部とが係合する方向に前記スライダを付勢するスライダバネとを備えることを特徴とする請求項１〜３のいずれかに記載のディスク装置。
【請求項５】
前記本体ユニットは、
前記係合部の前記被係合部に対する係合が解除される方向への前記スライダの移動を制止するロック維持部材と、
前記ロック維持部材を、前記スライダの移動を制止する制止状態から制止しない非制止状態にして、前記ロック機構のロック状態を解除可能な状態とする解除バネとをさらに備え、
前記ロック維持部材は、前記表示ユニットが前記閉状態から前記開状態となる際、前記表示ユニットの開動作に連動して、前記非制止状態から前記制止状態になり、前記表示ユニットが前記開状態から閉状態となる際、前記解除バネによって前記制止状態から前記非制止状態にされることを特徴とする請求項４記載のディスク装置。
【請求項６】
前記本体ユニットは、
前記本体ユニットの外部に露出された手動操作部を有する操作部材と、
前記スライダと前記操作部材との間に配置され、前記操作部材を前記スライダに連結する連結バネとをさらに備え、
前記連結バネの付勢力は、前記スライダバネの付勢力よりも大きいことを特徴とする請求項５記載のディスク装置。
【請求項７】
前記ロック維持部材は、
前記本体ユニットの、前記表示ユニットが回動可能に保持された側の表面から突出する突出部と、
前記スライダに当接して前記スライダの移動を制止する係止部とを備え、
前記表示ユニットの開動作に連動して前記表示ユニットの縁部が前記突出部を前記本体ユニットの内側に押し込むことにより、前記係止部が前記スライダに当接して前記スライダの移動が制止され、前記表示ユニットの閉動作に連動して前記突出部が前記本体ユニットの表面から突出することにより、前記係止部が前記スライダから離間されて前記スライダの移動が許可されることを特徴とする請求項５又は６記載のディスク装置。
【請求項８】
前記ロック機構は、
前記表示ユニットに設けられた係合部と、
前記ディスク挿入排出機構に設けられ、前記表示ユニットの係合部が係合する被係合部を備え、
前記表示ユニットの開動作に連動して前記ディスク挿入排出機構の被係合部が前記表示ユニットの前記係合部に係合されることにより、前記ディスク挿入排出機構の開動作が禁止され、前記表示ユニットの閉動作に連動して前記ディスク挿入排出機構の前記被係合部の前記表示ユニットの前記係合部との係合が解除されることにより、前記ディスク挿入排出機構の開動作が許可されることを特徴とする請求項１〜３のいずれかに記載のディスク装置。
【請求項９】
前記情報記録媒体は、光ディスクであり、
前記ディスクドライブは、前記光ディスクの記録時及び／又は再生時にレーザ光を前記光ディスクに照射することを特徴とする請求項１〜８のいずれかに記載のディスク装置。
【請求項１０】
前記本体ユニットは、前記表示ユニット側の面に設けられた主電源スイッチをさらに備え、
前記表示ユニットは、前記閉状態にあるときに、使用者が操作不能なように前記主電源スイッチを隠すことを特徴とする請求項１〜９のいずれかに記載のディスク装置。
【請求項１１】
前記本体ユニットは、全ての電源を遮断するための電源遮断スイッチをさらに備え、
前記電源遮断スイッチは、前記表示ユニットの閉動作に連動してオンされて全ての電源を遮断することを特徴とする請求項１〜１０のいずれかに記載のディスク装置。
【請求項１２】
本体ユニットと、情報を表示する表示面を有し、前記本体ユニットに対して、前記表示面を伏せた閉状態と、前記表示面を伏せない開状態とを取り得る表示ユニットとを備えるディスク装置に用いられるディスクドライブ装置であって、
情報記録面を有するディスク状の情報記録媒体を装着されて情報を記録及び／又は再生可能なディスクドライブと、
前記本体ユニットの前記表示ユニットが配置される面と反対側の底面側に配置されて前記本体ユニットの底方向に可動に構成され、前記ディスクドライブに対して前記情報記録媒体を挿入及び排出させるディスク挿入排出機構とを備え、
前記表示ユニットの開動作に連動して前記ディスク挿入排出機構の被係合部が前記表示ユニットの係合部に係合されることにより、前記ディスク挿入排出機構の開動作が禁止され、前記表示ユニットの閉動作に連動して前記ディスク挿入排出機構の前記被係合部と前記表示ユニットの前記係合部との係合が解除されることにより、前記ディスク挿入排出機構の開動作が許可されることを特徴とするディスクドライブ装置。
【発明の詳細な説明】
【技術分野】
【０００１】
本発明は、光ディスク、磁気ディスク等のディスク状の情報記録媒体を用いて、情報を記録及び／又は再生することが可能なディスクドライブを搭載するディスク装置及び該ディスク装置に使用されるディスクドライブ装置に関し、例えば、ユーザが携帯可能な携帯端末などのコンソールタイプのディスク装置及び該ディスク装置に使用されるディスクドライブ装置に関する。
【背景技術】
【０００２】
ディスク状の情報記録媒体に対して記録又は再生を行う、ＣＤ（コンパクト・ディスク）、ＤＶＤ（デジタル多用途ディスク）、若しくはＢＤ（ブルー・レイ・ディスク）等の光ディスク装置、ＭＯ（光磁気ディスク）、若しくはＭＤ（ミニ・ディスク）等の光磁気ディスク装置、又はＦＤ（フロッピー（登録商標）・ディスク）等の記録再生磁気ディスク装置と、これらに使用する各ディスクメディアとが既に広く世の中に普及している。特に、最近では、ポータブルＭＤに代表されるように、携帯タイプのディスク装置が目覚ましく市場に出回っている。例えば、特許文献１に、この種のディスク装置の構成が開示されている。
【０００３】
図３６及び図３７は、その類のディスク装置の概略構成を側面より示した図であり、図３６は、ディスクメディア挿入口を、ディスクメディア（不図示）の挿入又は排出が可能となるよう開放した状態を示し、図３７は、閉塞した状態を示す。
【０００４】
図３６及び図３７において、１０６はディスクメディアの記録又は再生を行うための駆動部を備える装置本体、１０１は装置本体１０６を覆う蓋体、１０２は蓋体１０１に付加してディスクメディアを収納する収納部、１０５は蓋体１０１を装置本体１０６に対して回動自在に保持する回動軸、１０７及び１０８は蓋体１０１の装置本体１０６に対する閉塞状態の維持に寄与する爪部及びスライダ、１１２はスライダ１０８の矢印Ｄ１０１Ａ方向への移動操作を行うためのスライダ操作部、１１４はスライダ１０８に付加して構成され蓋体１０１が閉塞した状態で爪部１０７と係合するためのストッパ部、１１５はスライダ１０８を矢印Ｄ１０１Ｂ方向に付勢する付勢バネ、１２６は矢印Ｄ１０２方向の開放方向に力を発生させる開放バネを示す。
【０００５】
上記のディスク装置にて、ディスクメディアに対して記録又は再生を行う際には、使用者は、図３６の開放状態で蓋体１０１に対して矢印Ｄ１０３方向にディスクメディアを挿入し、その後、蓋体１０１を開放バネ１２６の矢印Ｄ１０２方向のバネ力に抗して矢印Ｄ１０４方向に閉塞させる。
【０００６】
蓋体１０１が閉塞される直前に、ストッパ１１４は、付勢バネ１１５のバネ力に抗して、爪部１０７に押圧されて矢印Ｄ１０１Ａ方向に一時的に移動し、完全に閉塞されると再び付勢バネ１１５の力により矢印Ｄ１０１Ｂ方向に戻され、爪部１０７がストッパ１１４に係合してロックされ、蓋体１０１は、図３７の閉塞状態となる。
【０００７】
図３７の閉塞状態から、使用者がスライダ操作部１１２を矢印Ｄ１０１Ａ方向に移動させ、爪部１０７とストッパ１１４との係合を解除させると、蓋体１０１は、開放バネ１２６のバネ力により矢印Ｄ１０２方向に付勢されて開放され、再び図３６の開放状態となり、使用者は、ディスクメディアを容易に取り出すことができる。
【０００８】
ところで、装置が多機能化するに従い、ディスク媒体の情報、あるいは装置の操作情報など、使用者が様々な情報を認識するため、さらにはタッチペン入力のための表示パネルなど、インターフェースも進歩しており、特に液晶などの表示パネルを搭載した装置が普及し始めている。例えば、特許文献２にこの種の携帯端末装置の構成が開示されている。
【０００９】
図３８は、その類の携帯端末装置の構成を示した図であり、２１１は装置本体、２１２は装置本体に一体的に構成され、装置の操作を行うための操作パネル、２１５は装置本体２１１に対して開閉自在に支持された端末蓋体、２１３は表示パネル、２１６及び２１７はそれぞれ、蓋体２１５が装置本体２１１に対して閉塞状態である時に、その状態を維持するためにロックする係合部材及び被係合部材、２１４は装置本体２１１から突出して設けられ、被係合部材２１７と一体構成される解除操作部を示す。
【００１０】
上記の携帯端末装置では、使用者が解除操作部２１４を押し込むことにより、係合部材２１６と被係合部材２１７との係合状態が解放され、ロックを解除することができる。また、本装置は、蓋体２１５の開閉に応じて切り換えられる切り換えスイッチ（不図示）を内蔵しており、蓋体２１５を装置本体に対して開放した状態では、使用者は、表示パネル２１３をはじめ、すべての機能を使用することができる。一方、蓋体２１５を装置本体に対して閉塞した状態では、本装置は、表示パネル２１３の表示機能など、多くの機能に制限をかけられたスタンバイ状態又は電源オフ状態となる。これは、本装置が携帯端末であるという性質により、省電力を考慮する必要があるためである。
【００１１】
上記の携帯端末は、近年において益々多機能化されており、種々なインターフェースを備え、また多種のメディアへの記録又は再生を行うことができることが望ましい。その一形態として、図３６及び図３７に示したようなディスク装置が図３８に示したような携帯端末装置に組み込まれた複合装置（不図示）であるディスク装置が考えられる。
【００１２】
このような複合装置であれば、操作パネル２１２によりディスクメディアの記録又は再生のための操作を行うことができ、ディスクメディアに関する情報を、例えば表示パネル２１３に表示させることも可能である。また、ディスクメディアの挿入及び排出も、携帯端末に相応しい操作性を実現することが可能である。
【特許文献１】特開平８−２３５７１８号公報
【特許文献２】特開平１０−４９２５４号公報
【発明の開示】
【発明が解決しようとする課題】
【００１３】
しかしながら、上記のような複合装置では、操作性が容易であるという反面、装置の使用中で、ディスクメディアへの記録又は再生を行っている最中であっても、使用者がスライダ操作部１１２を矢印Ｄ１０１Ａ方向に移動させて、ディスクメディアを排出させることは可能である。このため、ディスクメディアが回転したままで排出されて、ディスクが不用意に周囲の部材などと衝突してディスクメディアそのものが損傷を受けたり、回転力によりディスクメディアが飛び出したりする可能性もある。
【００１４】
また、ディスクメディアが光ディスクである場合には、記録及び再生にレーザを用いているため、レーザが発光した状態のまま蓋体１０１が開放されてしまい、レーザビームが使用者の目に照射される可能性もある。
【００１５】
本発明の目的は、装置の使用中にディスク状の情報記録媒体が不用意に飛び出すことを防止することが可能なディスク装置及びディスクドライブ装置を提供することである。
【課題を解決するための手段】
【００１６】
本発明に係るディスク装置は、情報記録面を有するディスク状の情報記録媒体を装着して情報を記録及び／又は再生可能なディスクドライブを有する本体ユニットと、情報を表示する表示面を有し、前記本体ユニットに対して、前記表示面を伏せた閉状態と、前記表示面を伏せない開状態とを取り得る表示ユニットとをさらに備え、前記本体ユニットは、前記本体ユニットの底方向に可動に構成され、前記ディスクドライブに対して前記情報記録媒体を挿入及び排出させるディスク挿入排出機構と、前記情報記録媒体が前記本体ユニットに装着された状態をロックするためのロック機構とをさらに備え、前記表示ユニットが前記本体ユニットに対して前記開状態にあるとき、前記ロック機構のロック状態が維持される。
【００１７】
このディスク装置においては、表示ユニットが本体ユニットに対して開状態にあるとき、ロック機構がディスク挿入排出機構に対してディスク状の情報記録媒体の挿入及び排出ができない状態を維持しているので、ディスクドライブにて情報記録媒体が記録又は再生されている最中には、情報記録媒体を取り出せる状態とはならないため、情報記録媒体が回転した状態で飛び出したり、回転した状態の情報記録媒体が露出したりすることを防止することが可能となる。また、ロック機構の動作が本体ユニットに対する表示ユニットの相対変位に連動しているため、簡便な構成で、表示ユニットの開動作に応じて自動的にロック状態の維持を行うことが可能となる。
【００１８】
前記表示ユニットが前記本体ユニットに対して前記閉状態にあるときにのみ、前記ロック機構のロック状態が解除されることが好ましい。
【００１９】
この場合、表示ユニットが本体ユニットに対して閉状態にあるときにのみ、ロック機構のロック状態が解除されるので、使用者がディスク装置を使用していない場合にのみ情報記録媒体を取り出すことが可能となり、情報記録媒体が回転した状態で飛び出したり、回転した状態の情報記録媒体が露出したりすることを確実に防止することができる。
【００２０】
前記表示ユニットは、前記本体ユニットに回動可能に保持され、前記ディスク挿入排出機構は、前記本体ユニットの前記表示ユニットが配置される面と反対側の底面側に配置され、前記本体ユニットの底方向に回動可能に保持されることが好ましい。
【００２１】
この場合、本体ユニットの底面にディスク挿入排出機構が配置されるため、ディスク挿入排出機構から自重により情報記録媒体が飛び出しやすい状態となるが、このような状態においても、情報記録媒体が回転した状態で飛び出したり、回転した状態の情報記録媒体が露出したりすることを防止することが可能となる。
【００２２】
前記ロック機構は、前記本体ユニットにスライド可能に保持されたスライダに設けられた係合部と、前記ディスク挿入排出機構に設けられ、前記係合部が係合する被係合部と、前記スライダのスライド方向に平行で且つ前記係合部と前記被係合部とが係合する方向に前記スライダを付勢するスライダバネとを備えることが好ましい。
【００２３】
この場合、ディスク挿入排出機構に対して情報記録媒体の挿入及び排出を行うことができない状態を維持するためのロック機構が、係合部と被係合部とから構成され、係合部と被係合部とが係合する方向にスライダを付勢するスライダバネを設けているため、ロック状態を強力に維持し、且つ簡便に解除することが可能となる。
【００２４】
前記本体ユニットは、前記係合部の前記被係合部に対する係合が解除される方向への前記スライダの移動を制止するロック維持部材と、前記ロック維持部材を、前記スライダの移動を制止する制止状態から制止しない非制止状態にして、前記ロック機構のロック状態を解除可能な状態とする解除バネとをさらに備え、前記ロック維持部材は、前記表示ユニットが前記閉状態から前記開状態となる際、前記表示ユニットの開動作に連動して、前記非制止状態から前記制止状態になり、前記表示ユニットが前記開状態から閉状態となる際、前記解除バネによって前記制止状態から前記非制止状態にされることが好ましい。
【００２５】
この場合、ロック維持部材によりスライダの一部を係止することにより、簡便な構成で、且つ強力に、ディスク挿入排出機構の本体ユニットに対するロック状態を維持することができる。
【００２６】
前記本体ユニットは、前記本体ユニットの外部に露出された手動操作部を有する操作部材と、前記スライダと前記操作部材との間に配置され、前記操作部材を前記スライダに連結する連結バネとをさらに備え、前記連結バネの付勢力は、前記スライダバネの付勢力よりも大きいことが好ましい。
【００２７】
この場合、本体ユニットに対するディスク挿入排出機構のロック状態が維持されている際において、使用者が手動操作部をロック解除方向に無理に移動させた場合でも、ロック機構の全体の系に対して過負荷を与えてロック機構を破損してしまうことを防止することが可能となる。
【００２８】
前記ロック維持部材は、前記本体ユニットの、前記表示ユニットが回動可能に保持された側の表面から突出する突出部と、前記スライダに当接して前記スライダの移動を制止する係止部とを備え、前記表示ユニットの開動作に連動して前記表示ユニットの縁部が前記突出部を前記本体ユニットの内側に押し込むことにより、前記係止部が前記スライダに当接して前記スライダの移動が制止され、前記表示ユニットの閉動作に連動して前記突出部が前記本体ユニットの表面から突出することにより、前記係止部が前記スライダから離間されて前記スライダの移動が許可されることが好ましい。
【００２９】
この場合、ディスク装置の状態を、使用者による表示ユニットの開動作に連動してディスク挿入排出機構の本体ユニットに対するロック状態を維持する維持状態に自動的に設定することができるとともに、使用者による表示ユニットの閉動作に連動してディスク挿入排出機構の本体ユニットに対するロック状態を解除可能な状態に自動的に設定することができる。したがって、使用者がディスク装置を使用するために表示ユニットを開放しているときは、使用者の誤操作によって、情報記録媒体が回転した状態で飛び出したり、回転した状態の情報記録媒体が露出したりすることを確実に防止することができるとともに、使用者が情報記録媒体の交換のために表示ユニットを閉塞しているときは、ロック状態を解除可能な状態にすることができるので、使用者の操作性を損なうことがない。
【００３０】
前記ロック機構は、前記表示ユニットに設けられた係合部と、前記ディスク挿入排出機構に設けられ、前記表示ユニットの係合部が係合する被係合部を備え、前記表示ユニットの開動作に連動して前記ディスク挿入排出機構の被係合部が前記表示ユニットの前記係合部に係合されることにより、前記ディスク挿入排出機構の開動作が禁止され、前記表示ユニットの閉動作に連動して前記ディスク挿入排出機構の前記被係合部の前記表示ユニットの前記係合部との係合が解除されることにより、前記ディスク挿入排出機構の開動作が許可されることが好ましい。
【００３１】
この場合、使用者がディスク装置を使用するために表示ユニットを開放しているときは、ディスク挿入排出機構の開動作を禁止することができるとともに、使用者が情報記録媒体の交換のために表示ユニットを閉塞しているときは、ディスク挿入排出機構の開動作を許可することができるので、簡略な構成で、使用者の操作性を損なうことなく、使用者の誤操作によって、情報記録媒体が回転した状態で飛び出したり、回転した状態の情報記録媒体が露出したりすることを確実に防止することができる。
【００３２】
前記情報記録媒体は、光ディスクであり、前記ディスクドライブは、前記光ディスクの記録時及び／又は再生時にレーザ光を前記光ディスクに照射することが好ましい。
【００３３】
この場合、装置の使用中に、不用意にレーザが発光した状態のままディスク挿入排出機構が開放されることを防止することができるので、レーザなどによる光ビームの暴露も防止することができ、使用者に対して安全なディスク装置を提供することが可能となる。
【００３４】
前記本体ユニットは、前記表示ユニット側の面に設けられた主電源スイッチをさらに備え、前記表示ユニットは、前記閉状態にあるときに、使用者が操作不能なように前記主電源スイッチを隠すことが好ましい。
【００３５】
この場合、表示ユニットが閉状態にあるときは、使用者が主電源スイッチをオンすることができないので、情報記録媒体の交換時に、使用者が誤って装置の電源をオンすることを防止することができる。
【００３６】
前記本体ユニットは、全ての電源を遮断するための電源遮断スイッチをさらに備え、前記電源遮断スイッチは、前記表示ユニットの閉動作に連動してオンされて全ての電源を遮断することが好ましい。
【００３７】
この場合、表示ユニットの閉動作に連動して全ての電源が自動的に遮断されるので、情報記録媒体の交換時において、使用者が誤って装置の電源をオンすることを確実に防止することができる。
【００３８】
本発明に係るディスクドライブ装置は、本体ユニットと、情報を表示する表示面を有し、前記本体ユニットに対して、前記表示面を伏せた閉状態と、前記表示面を伏せない開状態とを取り得る表示ユニットとを備えるディスク装置に用いられるディスクドライブ装置であって、情報記録面を有するディスク状の情報記録媒体を装着されて情報を記録及び／又は再生可能なディスクドライブと、前記本体ユニットの前記表示ユニットが配置される面と反対側の底面側に配置されて前記本体ユニットの底方向に可動に構成され、前記ディスクドライブに対して前記情報記録媒体を挿入及び排出させるディスク挿入排出機構とを備え、前記表示ユニットの開動作に連動して前記ディスク挿入排出機構の被係合部が前記表示ユニットの係合部に係合されることにより、前記ディスク挿入排出機構の開動作が禁止され、前記表示ユニットの閉動作に連動して前記ディスク挿入排出機構の前記被係合部と前記表示ユニットの前記係合部との係合が解除されることにより、前記ディスク挿入排出機構の開動作が許可される。
【００３９】
このディスクドライブ装置においては、使用者がディスク装置を使用するために表示ユニットを開放しているときは、ディスク挿入排出機構の開動作を禁止することができるとともに、使用者が情報記録媒体の交換のために表示ユニットを閉塞しているときは、ディスク挿入排出機構の開動作を許可することができるので、簡略な構成で、使用者の操作性を損なうことなく、使用者の誤操作によって、情報記録媒体が回転した状態で飛び出したり、回転した状態の情報記録媒体が露出したりすることを確実に防止することができる。
【発明の効果】
【００４０】
本発明によれば、装置の使用中にディスク状の情報記録媒体が不用意に飛び出すことを防止することができる。
【発明を実施するための最良の形態】
【００４１】
以下、本発明の実施の形態について、図面を参照しながら説明する。
【００４２】
（第１の実施の形態）
まず、本発明の第１の実施の形態によるディスク装置について説明する。図１〜図５により、まずディスク装置全体の構成について説明する。
【００４３】
図１及び図２は、本発明の第１の実施の形態におけるディスク装置の全体構成を示す図であり、各々別の角度からの外観図である。図１及び図２において、ディスク装置１００は、本体ユニットとなる装置本体１、及び装置本体１を覆う蓋体２を備え、矢印Ｄ１Ａ方向及び矢印Ｄ１Ｂ方向の両方向への蓋体２の開閉が自在となるように、蓋体２の端部に設けられた回動ヒンジ部２Ａが、装置本体１に設けられた２カ所の回動支持受け部１ＡＡに保持されている。なお、図１と図２とでは、装置本体１と蓋体２とのなす角度は異なっている。
【００４４】
図２に示すディスプレイ２Ｂは、映像を映し出すため表示装置であり、表示ユニットとなる蓋体２に取り付けられ、映像コンテンツ又は装置の動作情報などを表示する。ディスプレイ２Ｂには、例えば液晶パネルなどを用いることができる。また、主電源スイッチ１ＳＡは、ディスク装置１００の主電源をＯＮ又はＯＦＦするためのスイッチであり、使用者が使用を開始する際に矢印Ｄ５方向に移動することで主電源が「ＯＮ」となる。そして、操作スイッチ群１ＳＢとして、使用者が装置を操作するための各種スイッチが装置本体１の上面の中央部に配列されている。さらに、電源遮断スイッチ１ＳＣは、全ての電源を遮断するためのスイッチであり、蓋体２に設けられた遮断突起２Ｃにより、蓋体２が矢印Ｄ１Ｂ方向に回動して閉塞された際に押し込まれて作動する。なお、電源遮断スイッチ１ＳＣは、蓋体２が開放された状態で容易に操作されることを回避するために、表面より窪んだ箇所に設けられている。
【００４５】
図３は、図１及び図２に示すディスク装置１００の主要構成部品の組立状態を示す分解斜視図であり、図４は、図３に示すディスク装置１００を裏側から見た状態を示す分解斜視図である。図３及び図４において、装置本体１を構成する部品のうち、１ＢＡは本体下ケース、１ＢＢは本体上ケースを示し、１１は情報記録面を有するディスク状の情報記録媒体であるディスクメディア３１（図７参照）の記録及び／又は再生を行うためのディスク駆動部を示し、通常、使用者は、図３及び図４における矢印Ｄ６Ａ方向を上向きにしてディスクメディア３１の出し入れ操作を行う。
【００４６】
図１、図３及び図４に示すように、装置本体１には、ディスク駆動部１１を覆う駆動部カバー３が設けられており、使用者は、ディスクメディア３１の出し入れ操作を行う際に駆動部カバー３を回動させて開閉する。ここで、図５に示すように、２つのカバー軸３Ｌ、３Ｒは、駆動部カバー３に一体に形成され、２つの本体軸受け１ＢＡＬ、１ＢＡＲに嵌合され、駆動部カバー３は、矢印Ｄ４Ａ方向及び矢印Ｄ４Ｂ方向に回動可能となるよう保持される。このように、本実施の形態では、装置本体１の底方向に可動に構成され、ディスク駆動部１１に対してディスクメディア３１を挿入及び排出させるディスク挿入排出機構が駆動部カバー３等から構成されている。
【００４７】
次に、ディスク駆動部１１の構成について説明する。図６は、ディスク駆動部１１の概略構成を示す図である。図６において、ディスク駆動部１１は、ディスクモータ１１Ｍ、ピックアップ１１Ｐ、駆動部ベース１１Ｂ、ガイドシャフト１１ＧＬ、１１ＧＲ及び防振ダンパ１１Ｓを備える。
【００４８】
ディスクモータ１１Ｍは、ディスクメディア３１を載置及び固定して回転駆動する。ピックアップ１１Ｐは、ピックアップベース部１１ＰＢにレンズ部１１ＰＬが搭載された状態で構成され、ディスクモータ１１Ｍに載置された状態におけるディスクメディア３１の特定半径方向に平行な、矢印Ｄ１１方向に移動可能な状態で、２本のガイドシャフト１１ＧＬ、１１ＧＲにより案内保持されている。レンズ部１１ＰＬからは半導体レーザなどによるレーザ光が光ディスクであるディスクメディア３１に照射され、ピックアップ１１Ｐは、ディスクメディア３１の情報記録面の記録及び／又は再生を行う。駆動部ベース１１Ｂは、ディスクモータ１１Ｍ及びガイドシャフト１１ＧＬ、１１ＧＲを保持し、外部からの振動の抑制又はディスク回転により装置に発生する振動の漏れ出しの防止を行うため、４カ所の防振ダンパ１１Ｓを介して、装置本体１に取り付けられる。なお、ピックアップ１１Ｐを矢印Ｄ１１方向に移送させるための駆動機構については、公知の駆動機構を用いることができるため、図示及び説明を省略している。
【００４９】
次に、本実施の形態のディスク装置１００へのディスクメディア３１の挿入方法について説明する。図７は、上記のディスク挿入排出機構によるディスク装置１００へディスクメディア３１を挿入する状態を示す図である。図７に示すように、本実施の形態におけるディスク装置１００では、ディスクメディア３１として、ディスクカートリッジ３１Ｃにディスク３１Ｄが収納されたものを使用する。
【００５０】
ディスクメディア３１を使用する際には、使用者は、駆動部カバー３が矢印Ｄ４Ａ方向に開放された状態のディスク装置１００に対して矢印Ｄ３１方向へディスクメディア３１を挿入する。駆動部カバー３には、一体的にカートリッジガイド３ＳＬ、３ＳＲが設けられており、ディスクメディア３１は、このカートリッジガイド３ＳＬ、３ＳＲに案内されながら挿入される。
【００５１】
ディスクカートリッジ３１Ｃには、ディスク３１Ｄの情報記録面を露出させるための開口を開閉するカートリッジシャッタ３１Ｓが設けられている。ディスク装置１００に挿入されると、カートリッジシャッタ３１Ｓがシャッタ開放機構（不図示）により矢印Ｄ７方向に移動して開口が開放され、ディスク３１Ｄの情報記録面が露出して記録又は再生が可能な状態となる。
【００５２】
次に、駆動部カバー３の本体下ケース１ＢＡに対する閉塞状態を維持するためのロック機構について、図１、図８〜図１１を用いて説明する。図８及び図９は、装置本体１のうち本体下ケース１ＢＡ側の内部の主要部分の状態を示し、図８は全体図、図９は詳細図である。
【００５３】
図１、図８及び図９において、４は駆動部カバー３の本体下ケース１ＢＡに対する閉塞状態を維持するためのロックスライダを示す。ロックスライダ４は、矢印Ｄ２Ａ方向及び矢印Ｄ２Ｂ方向にスライド可能となるように、本体下ケース１ＢＡに保持されており、スライダバネ６により矢印Ｄ２Ｂ方向に常に付勢されている。また、ロックスライダ４には、本体下ケース１ＢＡの外部から操作して矢印Ｄ２Ａ方向にスライド動作させるためのスライドノブ５が連結されている。さらに、ロックスライダ４の中央下部には、ロック爪４Ａが一体に形成されており、駆動部カバー３に一体に設けられたカバー爪３Ａを係止し、ロック爪４Ａ及びカバー爪３Ａは、矢印Ｄ４Ａ方向（図１等参照）への駆動部カバー３の回動を阻止する。
【００５４】
図１０及び図１１は、図８におけるロック爪４Ａとカバー爪３Ａとの係合の様子を示し、図１０は係合後の状態、図１１は係合前の状態である。図１０及び図１１に示すように、ロック爪４Ａ及びカバー爪３Ａには各々ロック爪テーパ面４ＡＡ及びカバー爪テーパ面３ＡＡが設けられている。
【００５５】
このような構成で、例えば、図７に示す状態から駆動部カバー３が矢印Ｄ４Ｂ方向に回動されると、ロック爪テーパ面４ＡＡは、図１１に示すカバー爪テーパ面３ＡＡと離間した状態から当接した状態となる。駆動部カバー３がさらに矢印Ｄ４Ｂ方向に回動されると、ロック爪テーパ面４ＡＡがカバー爪テーパ面３ＡＡにより押圧され、その押圧力が矢印Ｄ２Ａ方向の力に変換され、ロックスライダ４がスライダバネ６のバネ力に抗して矢印Ｄ２Ａ方向へ移動する。そして、ロック爪テーパ面４ＡＡがカバー爪テーパ面３ＡＡを通過し終えると、再びロックスライダ４は、スライダバネ６のバネ力により矢印Ｄ２Ｂ方向に移動し、ロック爪４Ａとカバー爪３Ａとの係合が完了して、図１０に示す状態となり、すなわち図８に示すロック状態となる。
【００５６】
逆に、外部から使用者がスライドノブ５を図１に示す矢印Ｄ３方向に移動させると、図１２に示すように、ロックスライダ４は、スライダバネ６のバネ力に抗して矢印Ｄ２Ａ方向にスライドされ、ロック爪４Ａとカバー爪３Ａとの係合が解除され、この時、駆動部カバー３を図７に示す矢印Ｄ４Ａ方向に開放することが可能となる。なお、駆動部カバー３の開放動作としては、駆動部カバー３の自重を利用して開放させたり、コイルバネ等の付勢部材を用いて開放動作をアシストしたりするようにしてもよい。
【００５７】
次に、本実施の形態におけるディスク装置１００を使用中に、駆動部カバー３が矢印Ｄ４Ａ方向へ開放されないように、ロックスライダ４が矢印Ｄ２Ａ方向へスライド動作することを阻止する構成について説明する。図１、図８、図９、図１２〜図１５において、７はロックスライダ４の矢印Ｄ２Ａ方向へのスライド動作を阻止するイジェクトストッパを示し、本体下ケース１ＢＡに設けられたイジェクトストッパ軸１ＢＡＳを、イジェクトストッパ回動穴７Ｂに挿通させることにより、イジェクトストッパ７が回動可能に保持される。また、イジェクトストッパバネ８は、イジェクトストッパ軸１ＢＡＳを支軸として取り付けられ、イジェクトストッパバネ８の一端は、本体下ケース１ＢＡに設けられた固定側バネ掛け１Ｐに掛けられ、他端は、イジェクトストッパ７に設けられた回動側バネ掛け７Ｃに掛けられている。イジェクトストッパバネ８は、捻りコイルバネ構成をなしており、イジェクトストッパ７を図８、図９、図１２及び図１３に示す矢印Ｄ７Ａ方向に回動付勢する。
【００５８】
以上のような構成により、本体上ケース１ＢＢが本体下ケース１ＢＡに組み込まれた状態では、図１に示すように、イジェクトストッパ７に設けられたイジェクトストッパ押圧部７Ａが本体上ケース１ＢＢに設けられた貫通穴１Ｈを貫通して本体上ケース１ＢＢの表面から突出している。
【００５９】
図１に示すように、蓋体２がＤ１Ａ方向に大きく開放されていない状態においては、蓋体２は、イジェクトストッパ押圧部７Ａを押圧しておらず、この状態では、図８及び図９に示すように、ロックスライダ４を矢印Ｄ２Ａ方向へ移動させることができる。すなわち、このロック機構のロック状態を解除可能な状態においては、図１２及び図１３に示すように、使用者は、ロックスライダ４を矢印Ｄ２Ａ方向に移動させ、駆動部カバー３を開放してディスクカートリッジ３１Ｃを自由に挿入することも、排出することも可能である。
【００６０】
そして、図２に示すように、使用者によるディスプレイ２Ｂの参照が可能な状態で、且つ主電源スイッチ１ＳＡや操作スイッチ群１ＳＢなどを操作できるような状態になるまで蓋体２が矢印Ｄ１Ａ方向に開放されると、蓋体２の下縁部によりイジェクトストッパ押圧部７Ａが押し込まれ、図１４及び図１５に示すように、イジェクトストッパ７が矢印Ｄ７Ｂ方向に回動する。この時には、ロックスライダ４に設けられたロック係止部４Ｃが、イジェクトストッパ７に設けられたストッパ係止部７Ｄに当接して、ロック係止部４Ｃの移動がストッパ係止部７Ｄに阻まれ、ロックスライダ４が矢印Ｄ２Ａ方向へスライドできなくなる。すなわち、ディスクメディア３１が挿入された状態でディスク駆動部１１の動作を開始すると、ディスクメディア３１を取り出すことが不可能となる。
【００６１】
ここで、ディスクメディア３１（図７参照）が挿入されてから、上記のように蓋体２が開放されている状態において、ディスク３１Ｄに対して再生又は記録動作が一旦行われ始めると、当然ディスク３１Ｄは回転し、また、ディスク駆動部１１においては、レンズ部１１ＰＬからレーザ光がディスク３１Ｄに照射される。このような動作が行われている際に、使用者によりディスクメディア３１を取り出す動作が行われると、使用者に対して、回転するディスク３１Ｄが飛び出したり、また、半導体レーザから発光されたレーザ光が目に入ったりする可能性があるが、本実施の形態におけるディスク装置であれば、上記の通り、蓋体２が装置本体１に対して開状態にある間、すなわち、ディスク駆動部１１を動作させて使用している間にディスクメディア３１を取り出すことが不可能であるため、このような不具合を防止することが可能となる。
【００６２】
また、図２に示すように、蓋体２が装置本体１に対して開状態でディスクメディア３１が取り出せない状態にならないと、主電源スイッチ１ＳＡ及び操作スイッチ群１ＳＢを操作することができないため、ディスクメディア３１を確実に挿入できるまでに、誤ってディスク３１Ｄが回転したり、半導体レーザが外部へ発光したりすることもない。
【００６３】
さらに、図２に示す状態でディスク３１Ｄに対して再生又は記録動作が一旦行われた後、使用者が誤って主電源スイッチ１ＳＡを「ＯＮ」状態から切り忘れたままの状態で蓋体２を矢印Ｄ１Ｂ方向に回動させて閉塞して、ディスクメディア３１を取り出せる状態になっても、蓋体２が回動動作することによって遮断突起２Ｃが、電源遮断スイッチ１ＳＣを押し込んで作動させるため、ディスク３１Ｄが回転したままの状態、又は半導体レーザが発光したままの状態で駆動部カバー３が開放されてしまうことを防止することができる。
【００６４】
以上のように、本実施の形態におけるディスク装置１００によれば、蓋体２が装置本体１に対して開状態にあるとき、ロックスライダ４が駆動部カバー３に対してディスクメディア３１の挿入及び排出ができない状態を維持しているので、ディスク駆動部１１にてディスクメディア３１が記録又は再生されている最中には、ディスクメディア３１を取り出せる状態とはならないため、ディスク３１Ｄが回転した状態で飛び出したり、回転した状態のディスク３１Ｄが露出したりすることを防止することが可能となる。この結果、回転したディスク３１Ｄや発光したままの半導体レーザなどから使用者を守ることが可能である。
【００６５】
また、本実施の形態のディスク装置のように、ディスプレイ２Ｂが装置本体１の上面に配置される蓋体２に取り付けられている場合には、駆動部カバー３を装置本体１の底面に配置し、駆動部カバー３をディスプレイ２Ｂの裏側で開閉させる構成とする必要があるが、この場合、ディスプレイ２Ｂを装置本体１の上側に配置する通常使用状態において、不用意に駆動部カバー３が開放してしまうと、自重により直ちにディスクメディア３１が勢い良く飛び出してしまう。
【００６６】
しかしながら、本実施の形態では、ロックスライダ４によるロック動作が装置本体１に対する蓋体２の相対変位に連動しているため、蓋体２の開動作に応じて自動的にロック状態の維持を行うことができるので、上記のような事態を簡便な構成で回避することが可能となる。
【００６７】
ただし、イジェクトストッパ押圧部７Ａが押し込まれて図１４及び図１５に示すようにイジェクトストッパ７が矢印Ｄ７Ｂ方向に回動し、ロックスライダ４が矢印Ｄ２Ａ方向へスライドできなくなった状態であっても、使用者がなおも強引にスライドノブ５をスライドさせるという事態が想定される。この時には、スライドノブ５をはじめロックスライダ４、イジェクトストッパ７又はイジェクトストッパ軸１ＢＡＳなどを破損してしまうおそれがある。
【００６８】
これを防止するための構成について図１６を用いて説明する。図１６は、図１、図８、図９、図１２〜図１５における、スライドノブ５付近の詳細を示す。図１６において、９は圧縮バネをなす過負荷防止バネを示し、過負荷防止バネ９は、ロックスライダ４に対してスライドノブ５を矢印Ｄ２Ｂ方向に付勢している。このような構成のもとで、ロックスライダ４がイジェクトストッパ７により矢印Ｄ２Ａ方向にスライドできない状態において、さらにスライドノブ５を矢印Ｄ２Ａ方向にスライドさせても、ロックスライダ４の矢印Ｄ２Ａ方向へのスライドが阻止されているため、過負荷防止バネ９が圧縮されることで、スライドノブ５の操作力が吸収される。この構成により、スライドノブ５を操作する力がロックスライダ４やイジェクトストッパ軸１ＢＡＳなどへ伝達されることを遮断することが可能となる。
【００６９】
また、この時の過負荷防止バネ９のバネ力をＦ９、スライダバネ６のバネ力をＦ６、使用者がスライドノブ５を操作するための最大力をＦＯ、過負荷防止バネ９がなくスライドノブ５とロックスライダ４とが直結された状態で使用者がスライドノブ５を矢印Ｄ２Ａ方向にスライドさせた際における、スライドノブ５、ロックスライダ４及びイジェクトストッパ軸１ＢＡＳのうちの何れかの部材の最低破壊強度をＦＭとすると、ロックスライダ４がイジェクトストッパ７に阻止されず矢印Ｄ２Ａ方向にスライドされる際にはスライダバネ６のバネ力に抗してスライドできなければいけないので、（式１）が成立しなければならない。
【００７０】
Ｆ６＜Ｆ９・・・・・（式１）
また、使用者が操作する力は、当然、過負荷防止バネ９の力を上回らなければ、効果を得ることができない。したがって（式２）が成立しなければならない。
【００７１】
Ｆ９＜ＦＯ・・・・・（式２）
さらに、スライドノブ５、ロックスライダ４及びイジェクトストッパ軸１ＢＡＳのうちの何れの部材も、スライドノブ５の矢印Ｄ２Ａ方向への使用者の強引な操作で破壊してはいけないので、（式３）が成立しなければならない。
【００７２】
Ｆ９＜ＦＭ・・・・・（式３）
上記の構成により、本実施の形態では、装置本体１に対する駆動部カバー３のロック状態が維持されている際において、使用者がスライドノブ５をロック解除方向に無理に移動させた場合でも、ロック機構の全体の系に対して過負荷を与えてスライドノブ５、ロックスライダ４、イジェクトストッパ軸１ＢＡＳ及びイジェクトストッパ７を破損してしまうことを防止することが可能となる。
【００７３】
次に、本実施の形態において、蓋体２がイジェクトストッパ押圧部７Ａに対して作用してロックスライダ４が矢印Ｄ２Ａ方向へスライド動作することを阻止する状態を、図１７〜図２６を参照して段階を追って説明する。
【００７４】
図１７〜図２６は、上記機能を実現するために設けた構成の一例を示す図であり、本実施の形態におけるディスク装置１００を側面から見た状態を示す。なお、図１８、図２０、図２２、図２４及び図２６は、図１７、図１９、図２１、図２３及び図２５に示す部分Ｓ２を拡大して詳細に示した図である。
【００７５】
図１７〜図２６において、２Ｐは、回動支持受け部１ＡＡの近傍に蓋体２と一体的に設けられ、蓋体２を矢印Ｄ１Ａ方向に回動した際にイジェクトストッパ押圧部７Ａを矢印Ｄ７Ｗ方向に押圧可能なストッパ押圧部を示す。ストッパ押圧部２Ｐは、第１押圧面２Ｋ１及び第２押圧面２Ｋ２を有し、第１押圧面２Ｋ１は、蓋体２の開動作に応じて蓋体２の回転中心から半径方向の距離が順次長くなるような斜面として蓋体２の端部に一体に形成され、第２押圧面２Ｋ２は、蓋体２のさらなる開動作に応じて蓋体２の回転中心から半径方向の距離が一定になるような曲面として蓋体２の端部に一体に形成されている。したがって、第１押圧面２Ｋ１は、蓋体２の開動作に連動してイジェクトストッパ押圧部７Ａの上端面に当接してイジェクトストッパ押圧部７Ａを装置本体１の内部に押し込み、さらに、蓋体２が開放される場合、第２押圧面２Ｋ２が、イジェクトストッパ押圧部７Ａの上端面に当接してイジェクトストッパ押圧部７Ａを装置本体１の内部に押し込んだ状態を維持する。
【００７６】
ここで、図１７及び図１８は、蓋体２が装置本体１に対して閉塞している状態（装置本体１に対する蓋体２の角度が０度となる状態）を示す図である。この閉塞状態のとき、ストッパ押圧部２Ｐに設けられた第１押圧面２Ｋ１がイジェクトストッパ押圧部７Ａの上端面と当接するが、第１押圧面２Ｋ１は、イジェクトストッパ押圧部７Ａを押圧しておらず、イジェクトストッパ押圧部７Ａは、矢印Ｄ７Ｗ方向へ移動していない。この状態においては、イジェクトストッパ押圧部７Ａは、イジェクトストッパバネ８（図１５参照）により矢印Ｄ７Ｙ方向に付勢されており、この状態では、図８に示す状態と同様、ロックスライダ４は、矢印Ｄ２Ａ方向及び矢印Ｄ２Ｂ方向にスライド可能であり、すなわち駆動部カバー３を開放することが可能である。
【００７７】
図１９及び図２０は、蓋体２が装置本体１に対して矢印Ｄ１Ａ方向に開放されはじめ、装置本体１に対する蓋体２の角度Ａ１２が４５度となる状態を示す図である。概ねこの角度未満では、本実施の形態のディスク装置１００における主電源スイッチ１ＳＡ及び操作スイッチ群１ＳＢの操作及びディスプレイ２Ｂの視聴は、使用者にとってほぼ困難な状態である。一方、この状態になれば、ストッパ押圧部２Ｐに設けられた第１押圧面２Ｋ１により、イジェクトストッパ押圧部７Ａが矢印Ｄ７Ｗ方向に押圧され、ロックスライダ４の矢印Ｄ２Ａ方向へのスライドは阻止され、駆動部カバー３を開放することは不可となる。
【００７８】
図２１及び図２２は、蓋体２が装置本体に対してさらに矢印Ｄ１Ａ方向に開放され、装置本体１に対する蓋体２の角度Ａ１２が９０度となる状態を示す図である。この状態では、本実施の形態のディスク装置における主電源スイッチ１ＳＡ及び操作スイッチ群１ＳＢの操作及びディスプレイ２Ｂの視聴は、使用者にとって特に支障ない状態である。この状態においては、ストッパ押圧部２Ｐに設けられた第２押圧面２Ｋ２によりイジェクトストッパ押圧部７Ａが矢印Ｄ７Ｗ方向に押圧された状態が維持され、ロックスライダ４の矢印Ｄ２Ａ方向へのスライドはやはり阻止されている。
【００７９】
図２３及び図２４は、蓋体２が装置本体に対してさらに引き続き矢印Ｄ１Ａ方向に開放され、装置本体１に対する蓋体２の角度Ａ１２が１３５度となる状態を示す図である。この状態は、使用者にとって、本実施の形態のディスク装置における主電源スイッチ１ＳＡ及び操作スイッチ群１ＳＢの操作及びディスプレイ２Ｂの視聴に適する状態である。この状態においても、図２１及び２２に示す状態から引き続き、第２押圧面２Ｋ２によりイジェクトストッパ押圧部７Ａが矢印Ｄ７Ｗ方向に押圧された状態が維持されており、ロックスライダ４の矢印Ｄ２Ａ方向へのスライドは阻止され続けている。
【００８０】
図２５及び図２６は、蓋体２が装置本体に対して矢印Ｄ１Ａ方向に最大限開放され、装置本体１に対する蓋体２の角度Ａ１２が１８０度となる状態を示す図である。本実施の状態において、蓋体２は、図２５及び図２６に示すように、角度Ａ１２が１８０度となる状態まで開放することが可能である。この状態においても、図２３及び図２４に示す状態から引き続き、第２押圧面２Ｋ２によりイジェクトストッパ押圧部７Ａが矢印Ｄ７Ｗ方向に押圧された状態が維持されており、ロックスライダ４の矢印Ｄ２Ａ方向へのスライドは阻止され続けている。
【００８１】
以上に示すように、蓋体２が装置本体１に対して開放されるに従い、イジェクトストッパ押圧部７Ａが矢印Ｄ７Ｗ方向に付勢され、ロックスライダ４の矢印Ｄ２Ａ方向へのスライドが阻止され、駆動部カバー３が開放されることが防止されている。
【００８２】
したがって、本実施の形態において、蓋体２の表示面となるディスプレイ２Ｂを伏せた閉状態としては、装置本体１に対する蓋体２の角度は、４５度未満であることが好ましく、３０度未満であることがより好ましく、１５度未満であることがさらに好ましい。このような状態は、ディスク装置１００における主電源スイッチ１ＳＡ及び操作スイッチ群１ＳＢの操作及びディスプレイ２Ｂの視聴が使用者にとって困難な状態であるので、使用者がディスク装置１００の電源を既にオフしており、ディスク駆動部１１にてディスクメディア３１が記録及び再生されていない可能性が高く、むしろディスクメディア３１の交換のために、使用者がロックスライダ４をスライドさせて駆動部カバー３を開放する必要性が高いことが予測されるからである。
【００８３】
一方、蓋体２の表示面となるディスプレイ２Ｂを伏せない開状態としては、装置本体１に対する蓋体２の角度は、４５度以上であることが好ましく、９０度以上であることがより好ましく、１３５度以上であることがさらに好ましい。このような状態は、ディスク装置１００における主電源スイッチ１ＳＡ及び操作スイッチ群１ＳＢの操作及びディスプレイ２Ｂの視聴が使用者にとって可能であるので、ディスク駆動部１１にてディスクメディアが記録又は再生されている可能性が高く、このような状況において、使用者の誤操作によって、ディスクメディアが回転した状態で飛び出したり、回転した状態のディスクメディアが露出したりすることを防止する必要性が高いことが予測されるからである。
【００８４】
なお、本実施の形態においては、ディスクがカートリッジに収納されたタイプのメディアを使用する装置を示したが、例えば、図７において駆動部カバー３をさらに開いてディスク駆動部を大きく露出させ、ディスク単体の状態でディスクモータ１１Ｍに載置する構成の装置であっても、同様の効果を得ることは可能である。
【００８５】
また、本実施の形態においては、スライダバネ６に引っ張りコイルバネを用いたが、ロックスライダ４を矢印Ｄ２Ｂ方向に付勢することができる構成であれば、例えば捻りコイルバネなど、他の手段であっても、同様の効果を得ることは可能である。
【００８６】
また、本実施の形態においては、イジェクトストッパバネ８に捻りコイルバネを用いたが、イジェクトストッパ７を矢印Ｄ７Ａ方向に付勢することができる構成であれば、例えば引っ張りコイルバネなど、他の手段であっても、同様の効果を得ることは可能である。
【００８７】
また、本実施の形態においては、過負荷防止バネ９に圧縮コイルバネを用いたが、ロックスライダ４をスライドノブ５に対して矢印Ｄ２Ａ方向に付勢することができる構成であれば、例えば引っ張りコイルバネなど、他の手段であっても、同様の効果を得ることは可能である。
【００８８】
また、本実施の形態においては、駆動部カバー３が開放する構成として、矢印Ｄ４Ａ方向へ回動する構成を用いたが、ディスクメディアの脱着が可能な構成であれば、例えば、図７に示す矢印Ｄ１４Ａ方向に平行に移動して開放し、ディスクメディアを挿入後に矢印Ｄ１４Ｂ方向に平行に移動して閉塞するような構成を用いても、同様の効果を得ることは可能である。
【００８９】
（第２の実施の形態）
次に、本発明の第２の実施の形態によるディスク装置を、図２７〜図３２を用いて説明する。
【００９０】
図２７及び図２８は、阻止フック２Ｈが設けられた状態における、本実施の形態のディスク装置１０１の外観形状図、図２９及び図３０は、阻止フック２Ｈ及び固定フック３Ｈの外観からの相対位置関係を示した図である。また、図２９は、図２７に示す状態と別の角度からの装置全体を示し、図３１は、図２９の状態から蓋体２を開放した状態を示す。そして、図３０及び図３２はそれぞれ図２９及び図３１に示す装置全体の、平面Ｐ１における断面状態を示す概略図である。
【００９１】
図２８に示すように、ディスクメディア３１をカートリッジガイド３ＳＬ及び３ＳＲに対して矢印Ｄ３１方向に挿入することにより、本実施の形態のディスク装置１０１も、第１の実施の形態と同様に使用することが可能である。しかしながら、本実施の形態のディスク装置１０１において第１の実施の形態と異なるのは、図２７〜図３２に示す通り、蓋体２が開放している状態において、蓋体２が直接、駆動部カバー３の開放を阻止する構成としている点である。
【００９２】
図２７〜図３２において、２Ｈは、蓋体２が開放状態であるときに駆動部カバー３の開放を阻止するための阻止フック、３Ｈは係合部である阻止フックに係合させるために駆動部カバー３に設けられた被係合部である固定フックを示す。
【００９３】
図２７〜図３２に示すように、阻止フック２Ｈは、蓋体２の回動ヒンジ部２Ａの中央部より突出されて設けられており、蓋体２が矢印Ｄ１Ａ方向に開放されると、装置本体１に設けられた通過穴１Ｃに潜入する。また、固定フック３Ｈは、駆動部カバー３の２つのカートリッジガイド３ＳＬ、３ＳＲとの間の架橋部位に一体に設けられる。
【００９４】
ここで、図２９及び図３０に示すように、蓋体２が閉塞した状態では、固定フック３Ｈは拘束されず、駆動部カバー３は、矢印Ｄ４Ａ方向に開放自在である。一方、図３１及び図３２に示すように、駆動部カバー３が閉塞した状態から蓋体２が開放されると、固定フック３Ｈと阻止フック２Ｈの互いの係合部が係合するため、駆動部カバー３が開放することが阻止される。
【００９５】
以上のように、本実施の形態のディスク装置１０１によれば、蓋体２を開放した状態、すなわちディスク装置１０１の使用中においては、駆動部カバー３の開放が阻止されているため、第１の実施の形態と同様、ディスク３１Ｄに対して再生又は記録動作が行われている際に、誤ってディスクメディア３１を取り出すことができる状態になることがない。これにより、使用者に対して、回転するディスク３１Ｄが飛び出したり、また、半導体レーザから発光されたレーザ光が目に入ったりすることを防止し、使用者の安全を確保することができる。
【００９６】
なお、上記した第1の実施の形態及び第２の実施の形態においては、図７又は図２７などからわかるように、駆動部カバー３が装置本体１に対して開閉するための回動中心軸は、蓋体２が開閉するための回動中心軸と平行であり、且つ、駆動部カバー３及び蓋体２が開放する際の回動方向は、例えば、図７に示す状態で右側からディスク装置１００を見た場合、共に回動中心に関して時計回りで互いに表裏の関係となる方向であるが、本発明は、この構成に限定するものではない。
【００９７】
例えば、図３３又は図３４に示すように、駆動部カバー３の回動中心軸が蓋体２の回動中心軸に対してねじれの関係になる構成でもよく、また、図３５に示すように、駆動部カバー３の回動中心軸が蓋体２の回動中心軸と平行であり、且つ、駆動部カバー３の開放する際の回動方向は、図３５に示す状態で右側からディスク装置を見た場合、回動中心に関して反時計回りとなる構成でもよく、この場合も、上記と同様の効果を得ることは可能である。なお、図３３〜図３５に示すディスク装置において、本体下ケース１ＢＡに対する駆動部カバー３の閉塞を維持するためのロック機構等の構成に関する説明を割愛するが、既に上記した第１の実施の形態又は第２の実施の形態において示した構成に準ずるものを使用することができる。
【産業上の利用可能性】
【００９８】
本発明のディスク装置は、装置の使用中にディスク状の情報記録媒体が不用意に飛び出すことを防止することができるので、ディスク状の情報記録媒体を用いて、情報を記録及び／又は再生することが可能なディスクドライブを搭載するディスク装置に適しており、特に、ディスク状の情報記録媒体を使用する携帯型の機器に適している。
【図面の簡単な説明】
【００９９】
【図１】本発明の第１の実施の形態によるディスク装置の全体構成を示す斜視図である。
【図２】図１に示すディスク装置において蓋体を開放した状態の全体構成を示す斜視図である。
【図３】図１に示すディスク装置の主要構成部品の組立状態を示す第１の分解斜視図である。
【図４】図１に示すディスク装置の主要構成部品の組立状態を示す第２の分解斜視図である。
【図５】図１に示すディスク装置の主要構成部品の組立状態を示す第３の分解斜視図である。
【図６】図１に示すディスク装置のディスク駆動部を示す斜視図である。
【図７】図１に示すディスク装置にディスクを挿入する状態を示す斜視図である。
【図８】図１に示すディスク装置の駆動部カバーに対するロック機構を示す斜視図である。
【図９】図８に示すイジェクトストッパを拡大して示す斜視図である。
【図１０】図８に示すロック機構の係合状態を拡大して示す斜視図である。
【図１１】図８に示すロック機構の非係合状態を拡大して示す斜視図である。
【図１２】図８に示すロック機構の非係合状態を示す斜視図である。
【図１３】図１２に示すイジェクトストッパを拡大して示す斜視図である。
【図１４】図８に示すロック機構の係合状態を示す斜視図である。
【図１５】図１４に示すイジェクトストッパの一部を拡大して示す斜視図である。
【図１６】図１に示すディスク装置の駆動部カバーに対するロック機構への過負荷防止機構を示す斜視図である。
【図１７】図１に示すディスク装置において蓋体が装置本体に対して閉塞している状態を示す側面図である。
【図１８】図１７に示すディスク装置の一部拡大図である。
【図１９】図１に示すディスク装置において装置本体に対する蓋体の角度が４５度となる状態を示す側面図である。
【図２０】図１９に示すディスク装置の一部拡大図である。
【図２１】図１に示すディスク装置において装置本体に対する蓋体の角度が９０度となる状態を示す側面図である。
【図２２】図２１に示すディスク装置の一部拡大図である。
【図２３】図１に示すディスク装置において装置本体に対する蓋体の角度が１３５度となる状態を示す側面図である。
【図２４】図２３に示すディスク装置の一部拡大図である。
【図２５】図１に示すディスク装置において装置本体に対する蓋体の角度が１８０度となる状態を示す側面図である。
【図２６】図２５に示すディスク装置の一部拡大図である。
【図２７】本発明の第２の実施の形態によるディスク装置における駆動部カバーの開放阻止構成を示す斜視図である。
【図２８】図２７に示すディスク装置を底面側から見た斜視図である。
【図２９】図２７に示すディスク装置が閉塞状態にあるときの斜視図である。
【図３０】図２９に示すディスク装置の断面図である。
【図３１】図２７に示すディスク装置が開放状態にあるときの斜視図である。
【図３２】図３１に示すディスク装置の断面図である。
【図３３】本発明によるディスク装置の第１の変形例を示す斜視図である。
【図３４】本発明によるディスク装置の第２の変形例を示す斜視図である。
【図３５】本発明によるディスク装置の第３の変形例を示す斜視図である。
【図３６】従来のディスク装置が開放状態にあるときの側面図である。
【図３７】従来のディスク装置が閉塞状態にあるときの側面図である。
【図３８】従来の携帯端末装置の全体概略構成図である。
【符号の説明】
【０１００】
１    装置本体
１ＡＡ    回動支持受け部
１ＢＡ    本体下ケース
１ＢＢ    本体上ケース
１ＢＡＬ    本体軸受け
１ＢＡＲ    本体軸受け
１ＢＡＳ    イジェクトストッパ軸
１Ｃ    通過穴
１ＳＡ    主電源スイッチ
１ＳＢ    操作スイッチ群
１ＳＣ    電源遮断スイッチ
１Ｈ    貫通穴
２    蓋体
２Ａ    回動ヒンジ部
２Ｂ    ディスプレイ
２Ｃ    遮断突起
２Ｈ    阻止フック
３    駆動部カバー
３Ｌ    カバー軸
３Ｒ    カバー軸
３Ａ    カバー爪
３ＡＡ    カバー爪テーパ面
３ＳＬ    カートリッジガイド
３ＳＲ    カートリッジガイド
３Ｈ    固定フック
４    ロックスライダ
４Ａ    ロック爪
４ＡＡ    ロック爪テーパ面
４Ｃ    ロック係止部
５    スライドノブ
６    スライダバネ
７    イジェクトストッパ
７Ａ    イジェクトストッパ押圧部
７Ｂ    イジェクトストッパ回動穴
７Ｃ    回動側バネ掛け
７Ｄ    ストッパ係止部
８    イジェクトストッパバネ
９    過負荷吸収バネ
１１    ディスク駆動部
１１Ｍ    ディスクモータ
１１Ｐ    ピックアップ
１１ＰＢ    ピックアップベース部
１１ＰＬ    レンズ部
１１ＧＬ    ガイドシャフト
１１ＧＲ    ガイドシャフト
１１Ｓ    防振ダンパ
【図１】
2008305534.tif 000003
【図２】
2008305534.tif 000004
【図３】
2008305534.tif 000005
【図４】
2008305534.tif 000006
【図５】
2008305534.tif 000007
【図６】
2008305534.tif 000008
【図７】
2008305534.tif 000009
【図８】
2008305534.tif 000010
【図９】
2008305534.tif 000011
【図１０】
2008305534.tif 000012
【図１１】
2008305534.tif 000013
【図１２】
2008305534.tif 000014
【図１３】
2008305534.tif 000015
【図１４】
2008305534.tif 000016
【図１５】
2008305534.tif 000017
【図１６】
2008305534.tif 000018
【図１７】
2008305534.tif 000019
【図１８】
2008305534.tif 000020
【図１９】
2008305534.tif 000021
【図２０】
2008305534.tif 000022
【図２１】
2008305534.tif 000023
【図２２】
2008305534.tif 000024
【図２３】
2008305534.tif 000025
【図２４】
2008305534.tif 000026
【図２５】
2008305534.tif 000027
【図２６】
2008305534.tif 000028
【図２７】
2008305534.tif 000029
【図２８】
2008305534.tif 000030
【図２９】
2008305534.tif 000031
【図３０】
2008305534.tif 000032
【図３１】
2008305534.tif 000033
【図３２】
2008305534.tif 000034
【図３３】
2008305534.tif 000035
【図３４】
2008305534.tif 000036
【図３５】
2008305534.tif 000037
【図３６】
2008305534.tif 000038
【図３７】
2008305534.tif 000039
【図３８】
2008305534.tif 000040